(57)【特許請求の範囲】
【請求項１】
本設柱と本設梁とにより形成された躯体軸組の該本設梁間に跨ってタワークレーンのベースを支持する受け梁を少なくとも２本架け渡し、受け梁と該受け梁を支持する該本設梁と接する箇所及び受け梁と該受け梁上に設置した該受け梁に生じる引抜力に抵抗する仮設の抑え梁と接する箇所の各々に、摩擦係数の低い部材を配設し、該受け梁と本設梁及び該受け梁と抑え梁とが摺動可能としてなることを特徴とする摺動部材を用いたクレーンベースの耐震構造。
【請求項２】
受け梁と本設梁とをダンパーにより連結し、該ダンパーを振動減衰手段としてなることを特徴とする請求項１に記載の摺動部材を用いたクレーンベースの耐震構造。
【請求項３】
抑え梁は、本設柱間に架設し、該本設柱に固定してなることを特徴とする請求項１又は２に記載の摺動部材を用いたクレーンベースの耐震構造。
【請求項４】
抑え梁は、本設柱にＰＣ鋼棒で固定したブラケットにその両端を設置固定してなることを特徴とする請求項３に記載の摺動部材を用いたクレーンベースの耐震構造。
【発明の詳細な説明】
【技術分野】
【０００１】
本発明は、昇降機能付タワークレーンのベースを建物の躯体を利用して支持し、且つ地震時や強風時において建物の躯体に生じる揺れを減衰し、該クレーンベースに当該揺れがそのまま伝わることを防止する摺動部材を用いたクレーンベースの耐震構造に関するものである。
【背景技術】
【０００２】
従来の昇降機能付クライミングタワークレーン（以下クレーンという）において、そのマスト部を支持するベースは建物の躯体を利用して支持しているが、支持手段は該ベースを受け梁に載置固定して支持している。
【０００３】
上記受け梁上にクレーンベースを載置固定する構造によると、クレーンベースは躯体とアンカーボルト等で緊結させることにより、鉛直方向の支持をし、クレーンベースと躯体間の摩擦力及びアンカーボルトによって水平方向の移動を防止していた。上記構造により地震や強風等によって躯体に発生した水平力はそのまま直接クレーンベースへ伝わる構造となっていた。
【特許文献１】特開２００４−０５９３２１号公報
【特許文献２】特開２００２−２２６１７１号公報
【発明の開示】
【発明が解決しようとする課題】
【０００４】
上記クレーンベースがアンカーボルト等により躯体と固定されていると、地震や強風等によって発生した躯体の振動はその全てがクレーンベースに伝達することになる。更に、躯体の固有振動数との共振現象等によって計算上よりも大きな水平力が作用することも発生していた。
【課題を解決するための手段】
【０００５】
本発明は、上記躯体からの振動がクレーンベースに伝わることを防止するもので、タワークレーンのベースを支持する受け梁と該受け梁を支持する躯体の本設梁とが接する箇所に、摩擦係数の低い部材を配設し、該受け梁と本設梁とが摺動可能としてなる摺動部材を用いたクレーンベースの耐震構造を特徴とする。
【０００６】
また、受け梁上に仮設の抑え梁を設置してなる摺動部材を用いたクレーンベースの耐震構造を特徴とする。
【０００７】
更に、受け梁と抑え梁とが接する箇所に摩擦係数の低い部材を配設し、該受け梁と抑え梁とが摺動可能としてなる摺動部材を用いたクレーンベースの耐震構造を特徴とする。
【０００８】
また、受け梁と本設梁とをダンパーにより連結し、該ダンパーを振動減衰手段としてなる摺動部材を用いたクレーンベースの耐震構造を特徴とする。
【０００９】
更に、抑え梁は、本設柱にＰＣ鋼棒で固定したブラケットにその両端を設置固定してなる摺動部材を用いたクレーンベースの耐震構造を特徴とする。
【発明の効果】
【００１０】
本発明は、受け梁を水平方向へ移動することを可能としたので、躯体に地震や強風等によって生じた振動を受け梁によって減衰させ、該受け梁上のクレーンベースへの振動伝達を大幅に低減することが可能となり、クレーンの安全性を向上させた。
【００１１】
また、本設梁と受け梁とをダンパーにより連結することにより振動を減衰し、且つ元の位置へと復元させることが可能となった。
【００１２】
更に、受け梁上に抑え梁を設置することにより、受け梁に発生する引抜力に抵抗することを可能とした。
【発明を実施するための最良の形態】
【００１３】
本発明は、上記した地震や強風等により発生した躯体からの振動をクレーンベースに減衰して伝達することを目的とするものであり、以下、実施例に基づいて説明する。
【実施例１】
【００１４】
図１は本発明のクレーンベースの耐震構造の実施例を示す正面図、図２は同平面図を示している。
建物の躯体として垂直部材となる本設柱１と該本設柱１間に水平方向に固定される本設梁２とにより躯体軸組を形成する。該本設梁２上には、隣接する本設梁２間に跨って受け梁３を少なくとも２本架設する。図においてはＩ型鋼を使用している。
【００１５】
受け梁３の下フランジ４側を本設梁２上に載置し、上フランジ５側は抑え梁６により該受け梁３が転倒等により傾くことを防止している。図１、２の抑え梁６は、本設梁２に平行配設し、且つ本設柱１にその両端部を固定している。
【００１６】
上記抑え梁６の本設柱１への取り付けは、例えば図３（ａ）に示すように、ブラケット７とＰＣ鋼棒８とにより行なうことができる。本設柱１に固定したブラケット７に該抑え梁６を支持させる。ブラケット７は、ＰＣ鋼棒８により本設柱１に取着される。該ＰＣ鋼棒８は、図に示すようにブラケット７の取付板の孔より本設柱１を貫通して反対側の取付板へと突出させ、当該部分で固定具９により強固に固定する。
【００１７】
図３（ｂ）は、ブラケット７の取着を上記同様ＰＣ鋼棒８により行なっているが、ブラケット７が大きい場合、該ＰＣ鋼棒８は、本設柱１の対向する外側壁間に跨るようにしてブラケット７間或いはブラケット７と取付板間に架設して固定する。
上記の場合、ＰＣ鋼棒８を切断することなくブラケット７を撤去することが可能となる。
【００１８】
上記本設梁２と受け梁３との間及び受け梁３と抑え梁６との間には各々摺動部材１０、１１を配設する。該摺動部材１０、１１としてはテフロン（登録商標）等の摩擦係数の低い物質を採用する。図１、２においては本設梁２と受け梁３の下フランジ４間及び上フランジ５と抑え梁６間に摺動部材１０、１１を設けている。上記受け梁３は、図ではＩ型鋼としているが、それに限定されるものではなく、また鉄骨に限定されるものでもない。
【００１９】
クレーンのベースとなる基礎部（不図示）は受け梁３上に固定され、タワー部分が上方へと延設されるものである。
【００２０】
図２に示すように、本設梁２と受け梁３との間には各々ダンパー１２を配設している。ダンパー１２の一端側を本設梁２に固定し、他端側を受け梁３に固定している。
【００２１】
上記構成により、地震や強風等により軸組が揺れた場合、クレーンベースが固定された受け梁３は摺動部材１０、１１により該軸組となる本設梁２の揺れに追随することなく本設梁２の移動を大幅に減少させて移動することを可能とする。これにより振動により生じる水平力を低減することができる。
【００２２】
水平方向に移動した受け梁３は、本設梁２と該受け梁３とを連結したダンパー１２により引き戻され、復元することになる。
【００２３】
図４は、上記受け梁３が移動する場合の移動可能範囲Ｗを示したものである。本設梁２が短手方向に振動した場合（図示の矢印方向）、受け梁３は長手方向に移動することになる。それにより該本設梁２には転倒方向に水平力が作用することになり、その移動範囲を確保するために移動可能範囲Ｗに拡張用プレート１３を設けている。該拡張用プレート１３は、本設梁２のウェブの左右に受け梁３の下フランジの長手方向に沿って摺動部材１０が延設できるように本設梁２の上フランジと面一となる面を設けた、例えばＴ字型のもの等を設けている。
【実施例２】
【００２４】
図５は、本発明のクレーンベースの耐震構造の他の実施例を示す正面図である。上記実施例１のように、本設柱１間に跨って抑え梁を架設することが困難な場合に、本設梁１４上にベース部材１５を取り付け、該ベース部材１５上の受け梁１６の上フランジ１７に抑え金具１８を設置し、該ベース部材１５と抑え金具１８間に受け梁１６を囲むようにしてアンカーボルト１９を架け渡し、該アンカーボルト１９を締め付けることにより引き抜き力に抵抗できるようにしている。上記受け梁１６の下フランジ２０とベース部材１５間及び上フランジ１７と抑え金具１８間には摺動部材２１、２２を配設し、地震や強風等により躯体に生じた振動を減衰させた状態で受け梁１６が水平方向に移動することを可能としている。
【図面の簡単な説明】
【００２５】
【図１】本発明のクレーンベースの耐震構造の一実施例を示す正面図。
【図２】本発明のクレーンベースの耐震構造の一実施例を示す平面図。
【図３（ａ）】本設柱へ抑え梁を取着する構造の一実施例を示す一部断面正面図。
【図３（ｂ）】本設柱へ抑え梁を取着する構造の他の実施例を示す平面図。
【図４】本設梁と受け梁との関係を示す正面図。
【図５】本発明のクレーンベースの耐震構造の他の実施例を示す正面図。
【符号の説明】
【００２６】
１                                   本設柱
２、１４                             本設梁
３、１６                             受け梁
４、２０                             下フランジ
５、１７                             上フランジ
６                                   抑え梁
７                                   ブラケット
８                                   ＰＣ鋼棒
９                                   固定具
１０、１１、２１、２２                 摺動部材
１２                                   ダンパー
１３                                   拡張用プレート
１５                                   ベース部材
１８                                   抑え金具
１９                                   アンカーボルト
【図１】
0004842589.tif 000002
【図２】
0004842589.tif 000003
【図３（ａ）】
0004842589.tif 000004
【図３（ｂ）】
0004842589.tif 000005
【図４】
0004842589.tif 000006
【図５】
0004842589.tif 000007